(57)【要約】【課題】トルクレンチの管理をコンピューター化により実現できるトルクレンチ管理システムの提供。【解決手段】トルクレンチテスターで測定したトルクレンチ情報を登録した個々のトルクレンチ毎に管理するための管理画面を表示手段にコンピューターにより表示させる際、前記管理画面の初期画面には、トルクレンチの測定を行なうのに要する項目を指示するための測定表示と、管理されているトルクレンチを検索するための検索表示と、測定したトルクレンチの検査成績書を発行するための検査成績書表示と、トルクレンチを新たに登録するためのトルクレンチ登録表示を表示させるようにした。【選択図】  図３
2004251697.tif 000002
【特許請求の範囲】
【請求項１】
トルクレンチテスターで測定したトルクレンチ情報を登録した個々のトルクレンチ毎に管理するための管理画面を表示手段に表示させるトルクレンチ管理システムであって、前記管理画面の初期画面には、トルクレンチの測定を行なうのに要する項目を指示するための測定表示と、管理されているトルクレンチを検索するための検索表示と、測定したトルクレンチの検査成績書を発行するための検査成績書表示と、トルクレンチを新たに登録するためのトルクレンチ登録表示を少なくとも表示させることを特徴とするトルクレンチ管理システム。
【請求項２】
前記初期画面の測定表示を選択すると、トルクレンチのＩＤ番号の入力を指示する画面が表示され、所望のトルクレンチのＩＤ番号が入力されると検査日等の書誌的事項を入力する画面が表示され、さらに該書誌的事項の入力後に測定を行なう詳細項目を指示する画面が表示されることを特徴とする請求項１に記載のトルクレンチ管理システム。
【請求項３】
前記初期画面の検査成績書表示を選択すると、トルクレンチのＩＤ番号の入力を指示する画面が表示され、所望するトルクレンチの精度の合否を含む検査成績を表示させることを特徴とする請求項１に記載のトルクレンチ管理システム。
【請求項４】
前記初期画面のトルクレンチ登録表示を選択すると、トルクレンチを新たに登録するための新規登録表示と、既に登録されているトルクレンチの測定のための詳細項目の内容を変更する既存の登録の変更表示と、既に登録されているトルクレンチの登録を削除する既存の登録削除表示とを表示させることを特徴とする請求項１に記載のトルクレンチ管理システム。
【請求項５】
トルクレンチテスターで測定したトルクレンチ情報を登録した個々のトルクレンチ毎に管理するための管理画面を表示手段に表示させるプログラムが格納され、コンピューターにより読み取り可能なトルクレンチ管理システム用記録媒体であって、前記管理画面の初期画面として、トルクレンチの測定を行なうのに要する項目を指示するための測定表示と、管理されているトルクレンチを検索するための検索表示と、測定したトルクレンチの検査成績書を発行するための検査成績書表示と、トルクレンチを新たに登録するためのトルクレンチ登録表示を少なくとも表示させるべくコンピューターに実行させ、且つ前記トルクレンチテスターからの情報をトルクレンチマスターファイルに保存させ、過去の測定データを履歴ファイルに保存させるべく該コンピュータに実行させることを特徴とするトルクレンチ管理システム用記録媒体。
【請求項６】
前記初期画面の測定表示を選択すると、トルクレンチのＩＤ番号の入力を指示する画面が表示され、所望のトルクレンチのＩＤ番号が入力されると検査日等の書誌的事項を入力する画面が表示され、さらに該書誌的事項の入力後に測定を行なう詳細項目を指示する画面が表示されるべくコンピューターに実行させることを特徴とする請求項５に記載のトルクレンチ管理システム用記録媒体。
【請求項７】
前記初期画面の検査成績書表示を選択すると、トルクレンチのＩＤ番号の入力を指示する画面が表示され、所望するトルクレンチの精度の合否を含む検査成績を表示させるべくコンピューターに実行させることを特徴とする請求項５に記載のトルクレンチ管理システム用記録媒体。
【請求項８】
前記初期画面のトルクレンチ登録表示を選択すると、トルクレンチを新たに登録するための新規登録表示と、既に登録されているトルクレンチの測定のための詳細項目の内容を変更する既存の登録の変更表示と、既に登録されているトルクレンチの登録を削除する既存の登録削除表示とを表示させるべくコンピューターに実行させることを特徴とする請求項５に記載のトルクレンチ管理システム用記録媒体。
【請求項９】
トルクレンチに設定したトルク値に対して実際のトルク値を測定するトルクレンチテスターと、前記トルクレンチテスターと接続手段を介して接続されるコンピューターとを有し、前記コンピューターは、前記トルクレンチテスターからのトルクレンチ情報を登録した個々のトルクレンチ毎に管理するための管理画面を表示手段に表示させ、前記管理画面の初期画面には、トルクレンチの測定を行なうのに要する項目を指示するための測定表示と、管理されているトルクレンチを検索するための検索表示と、測定したトルクレンチの検査成績書を発行するための検査成績書表示と、トルクレンチを新たに登録するためのトルクレンチ登録表示を少なくとも表示させることを特徴とするトルクレンチ管理装置。
【請求項１０】
前記コンピューターは、前記初期画面の測定表示を選択すると、トルクレンチのＩＤ番号の入力を指示する画面を表示させ、所望のトルクレンチのＩＤ番号が入力されると検査日等の書誌的事項を入力する画面が表示され、さらに該書誌的事項の入力後に測定を行なう詳細項目を指示する画面が表示されることを特徴とする請求項９に記載のトルクレンチ管理装置。
【請求項１１】
前記コンピューターは、前記初期画面の検査成績書表示を選択すると、トルクレンチのＩＤ番号の入力を指示する画面が表示され、所望するトルクレンチの精度の合否を含む検査成績を表示させることを特徴とする請求項９に記載のトルクレンチ管理装置。
【請求項１２】
前記コンピューターは、前記初期画面のトルクレンチ登録表示を選択すると、トルクレンチを新たに登録するための新規登録表示と、既に登録されているトルクレンチの測定のための詳細項目の内容を変更する既存の登録の変更表示と、既に登録されているトルクレンチの登録を削除する既存の登録削除表示とを表示させることを特徴とする請求項９に記載のトルクレンチ管理装置。
【発明の詳細な説明】
【０００１】
【発明の属する技術分野】
本発明は、トルクレンチ管理システム、トルクレンチ管理システム用記録媒体およびトルクレンチ管理装置に係り、特にトルクレンチの履歴の参照、トルクレンチの精度の合否判定等を行なえるトルクレンチ管理システム、トルクレンチ管理システム用記録媒体およびトルクレンチ管理装置に関するものである。
【０００２】
【従来技術】
トルクレンチに外力（締付力）を作用させて、そのトルクレンチのトルク設定値の精度をテストするためのトルクレンチテスターが本出願人より提案（特開平８−１１０２７７号公報）されている。このトルクレンチテスターは、図５から図７に示すように、テスター本体１１の上面には、トルク値設定操作釦１２、表示器１３等を備えた操作盤１４と、測定入力軸１５が設けられている。測定入力軸１５の外周に軸支されているローディングアーム１６の内部にはロッカーレバー１７がその軸方向に摺動可能に挿通保持されている。このロッカーレバー１７の尾端部には、測定すべきトルクレンチ１８のハンドル部１９に係止される係止ピン２０が設けられている。２１はテスター本体１１に回動可能に支持されているハンドルであって、このハンドル２１にはねじ杆２２が一体に設けられ、このねじ杆２２には、可動体２３が噛合され、さらにこの可動体２３は前記のローディングアーム１６に係合されている。
【０００３】
このような構成のトルクレンチテスターにおいて、先ず設定値操作釦１２の操作によって所定の設定値を表示器１３で表示させた後、テストすべきトルクレンチのヘッドを、測定入力軸１５に係合（嵌合）させると共に、そのトルクレンチの有効長（ハンドル部長さ）に応じてロッカーレバー１７をローディングアーム１６に対して軸方向に移動調整して、そのロッカーレバー１７に取付けられている係止ピン２０がトルクレンチのハンドル部１９に当接するように位置させる。
【０００４】
そして、ハンドル２１を廻すことによりローディングアーム１６、ロッカーレバー１７を介して係止ピン２０を図５中矢印Ａ方向に移動させることにより、係止ピン２０に係止されているトルクレンチ１８のハンドル部１９も同方向に回動し、このトルクレンチハンドル部１９の回動に伴なう該トルクレンチの設定トルク値精度が測定（テスト）され、表示器１３に表示される。
【０００５】
また、図５、図６に示されるトルクレンチ１８は比較的小型のものであって、そのトルクレンチ１８よりも大型であるトルクレンチのテストを行なう場合は、図７で示すように、そのトルクレンチの有効長さに応じて、ロッカーレバー１７の係止ピン２０が測定入力軸１５より離れる方向へ、そのロッカーレバー１７をローディングアーム１６に対して摺動させることにより、その係止ピン２９を大型トルクレンチのハンドル部に確実に係止させるようにしている。
【０００６】
【発明が解決しようとする課題】
このようなトルクレンチテスターにおいては、工場等において使用される多数のトルクレンチに対して、個々のトルクレンチを単に測定するだけであり、検査員は表示器１３の測定結果を見て精度の良否を判定するだけであったり、管理台帳に測定結果を個々のトルクレンチ毎に記帳していた。
【０００７】
しかしながら、一つのトルクレンチにおいて、トルク設定値（精度）は一つではなく、種々設定されて使用されるため、台帳への記帳も煩雑となり、また個々のトルクレンチの履歴を確認するのにも手間がかかり、特に管理するトルクレンチの種類や本数が多くなると大変面倒な作業となっていた。
【０００８】
そこで、本出願に係る発明の目的は、このような煩雑な作業から解放し、多くのトルクレンチの管理を可能とするトルクレンチ管理システム、トルクレンチ管理システム用記録媒体およびトルクレンチ管理装置を提供しようとするものである。
【０００９】
【課題を解決するための手段】
本発明のトルクレンチ管理システムは、トルクレンチテスターで測定したトルクレンチ情報を登録した個々のトルクレンチ毎に管理するための管理画面を表示手段に表示させるトルクレンチ管理システムであって、前記管理画面の初期画面には、トルクレンチの測定を行なうのに要する項目を指示するための測定表示と、管理されているトルクレンチを検索するための検索表示と、測定したトルクレンチの検査成績書を発行するための検査成績書表示と、トルクレンチを新たに登録するためのトルクレンチ登録表示を少なくとも表示させることを特徴とする。
【００１０】
このトルクレンチ管理システムにおいて、前記初期画面の測定表示を選択すると、トルクレンチのＩＤ番号の入力を指示する画面が表示され、所望のトルクレンチのＩＤ番号が入力されると検査日等の書誌的事項を入力する画面が表示され、さらに該書誌的事項の入力後に測定を行なう詳細項目を指示する画面が表示されるようにした。
【００１１】
このトルクレンチ管理システムにおいて、前記初期画面の検査成績書表示を選択すると、トルクレンチのＩＤ番号の入力を指示する画面が表示され、所望するトルクレンチの精度の合否を含む検査成績を表示させるようにした。
【００１２】
このトルクレンチ管理システムにおいて、前記初期画面のトルクレンチ登録表示を選択すると、トルクレンチを新たに登録するための新規登録表示と、既に登録されているトルクレンチの測定のための詳細項目の内容を変更する既存の登録の変更表示と、既に登録されているトルクレンチの登録を削除する既存の登録削除表示とを表示させるようにした。
【００１３】
本発明のトルクレンチ管理システム用記録媒体は、トルクレンチテスターで測定したトルクレンチ情報を登録した個々のトルクレンチ毎に管理するための管理画面を表示手段に表示させるプログラムが格納され、コンピューターにより読み取り可能なトルクレンチ管理システム用記録媒体であって、前記管理画面の初期画面として、トルクレンチの測定を行なうのに要する項目を指示するための測定表示と、管理されているトルクレンチを検索するための検索表示と、測定したトルクレンチの検査成績書を発行するための検査成績書表示と、トルクレンチを新たに登録するためのトルクレンチ登録表示を少なくとも表示させるべくコンピューターに実行させ、且つ前記トルクレンチテスターからの情報をトルクレンチマスターファイルに保存させ、過去の測定データを履歴ファイルに保存させるべく該コンピュータに実行させることを特徴とする。
【００１４】
このトルクレンチ管理システム用記録媒体は、前記初期画面の測定表示を選択すると、トルクレンチのＩＤ番号の入力を指示する画面が表示され、所望のトルクレンチのＩＤ番号が入力されると検査日等の書誌的事項を入力する画面が表示され、さらに該書誌的事項の入力後に測定を行なう詳細項目を指示する画面が表示されるべくコンピューターに実行させるようにした。
【００１５】
このトルクレンチ管理システム用記録媒体は、前記初期画面の検査成績書表示を選択すると、トルクレンチのＩＤ番号の入力を指示する画面が表示され、所望するトルクレンチの精度の合否を含む検査成績を表示させるべくコンピューターに実行させるようにした。
【００１６】
このトルクレンチ管理システム用記録媒体は、前記初期画面のトルクレンチ登録表示を選択すると、トルクレンチを新たに登録するための新規登録表示と、既に登録されているトルクレンチの測定のための詳細項目の内容を変更する既存の登録の変更表示と、既に登録されているトルクレンチの登録を削除する既存の登録削除表示とを表示させるべくコンピューターに実行させるようにした。
【００１７】
本発明のトルクレンチ管理装置は、トルクレンチに設定したトルク値に対して実際のトルク値を測定するトルクレンチテスターと、前記トルクレンチテスターと接続手段を介して接続されるコンピューターとを有し、前記コンピューターは、前記トルクレンチテスターからのトルクレンチ情報を登録した個々のトルクレンチ毎に管理するための管理画面を表示手段に表示させ、前記管理画面の初期画面には、トルクレンチの測定を行なうのに要する項目を指示するための測定表示と、管理されているトルクレンチを検索するための検索表示と、測定したトルクレンチの検査成績書を発行するための検査成績書表示と、トルクレンチを新たに登録するためのトルクレンチ登録表示を少なくとも表示させることを特徴とする。
【００１８】
このトルクレンチ管理装置は、前記コンピューターは、前記初期画面の測定表示を選択すると、トルクレンチのＩＤ番号の入力を指示する画面を表示させ、所望のトルクレンチのＩＤ番号が入力されると検査日等の書誌的事項を入力する画面が表示され、さらに該書誌的事項の入力後に測定を行なう詳細項目を指示する画面が表示されるようにした。
【００１９】
このトルクレンチ管理装置は、前記コンピューターは、前記初期画面の検査成績書表示を選択すると、トルクレンチのＩＤ番号の入力を指示する画面が表示され、所望するトルクレンチの精度の合否を含む検査成績を表示させるようにした。
【００２０】
このトルクレンチ管理装置は、前記コンピューターは、前記初期画面のトルクレンチ登録表示を選択すると、トルクレンチを新たに登録するための新規登録表示と、既に登録されているトルクレンチの測定のための詳細項目の内容を変更する既存の登録の変更表示と、既に登録されているトルクレンチの登録を削除する既存の登録削除表示とを表示させるようにした。
【００２１】
【発明の実施の形態】
図１から図４は本発明の実施の形態を示す。
【００２２】
図１は本発明の実施の形態を示す概略ブロック図である。
【００２３】
図１において、１はコンピューター、２は図５から図７に示すトルクレンチテスターで、ケーブル（ＲＳ−２３２Ｃ）を介してコンピューター１とトルクレンチテスター２とが接続され、コンピューター１とトルクレンチテスター２との間で通信が行なわれる。勿論、コンピューター１とトルクレンチテスター２との間の通信をケーブルを用いた有線ではなく、無線により行なっても良い。
【００２４】
コンピューター１からトルクレンチテスター２へは、測定回数（設定トルク値での測定回数および精度），計測結果の送信開始の指示信号等が出力され、この指示信号を受けたトルクレンチテスター２は各回の測定結果をコンピューター１へ出力する。なお、トルクレンチに個々のＩＤ番号を示すバーコードを貼り付けたり、マイクロチップを埋め込んでおき、トルクレンチテスターの所定位置にトルクレンチを取付けるとこのＩＤ番号を自動的に読み取ってコンピューター１へ知らせるようにしても良く、この場合にはコンピューター１側でトルクレンチの製造番号（ＩＤ番号）を入力する必要が無い。
【００２５】
コンピューター１は、図２のブロック図に示すように、制御手段３はＣＰＵ等から構成され、各部の制御、データ転送、種々の演算、データの一時的な格納等を行なう。４は入力制御手段で、前記通信ケーブルを介して接続されたトルクレンチテスター２から入力されるデータを制御する。
【００２６】
５、６、７はそれぞれ記憶手段であり、以下のようにファイルが格納、記憶されている。
【００２７】
記憶手段５にはメインプログラムが記憶されており、このメインプログラムは制御手段３において用いられ、例えばコンピューター１の不図示の表示手段の表示画面にトルクレンチの各種の詳細項目を表示させるプログラム、トルクレンチを測定して得られたデータが精度範囲内にあるか否かを判定するプログラム、トルクレンチの製造番号・型式検索により必要な情報を得るための検索用プログラム、測定したデータを検査成績書として発行するプログラム等から構成されている。
【００２８】
この記憶手段５に記憶されるメインプログラムは、不図示のＦＤ、ＣＤ−ＲＯＭ等の記録媒体によりこの記憶手段５に書き込めるようになっており、この記録媒体によりメインプログラムが記憶手段５に書き込まれると、記憶手段６にトルクレンチマスターファイルが設けられ、記憶手段７にトルクレンチ測定データ履歴ファイルが設けられる。
【００２９】
記憶手段６には、トルクレンチマスターファイルが記憶されている。このトルクレンチマスターファイルは、個々のトルクレンチに付されているＩＤ番号、例えば製造番号毎に作成されるものであり、１つのトルクレンチの製造番号に対応するトルクレンチマスターファイルは、トルクレンチ情報として「型式」、「機器名称」、「単位」、「測定回数」、「測定値」、「精度」等の個々のトルクレンチ固有の情報から構成されている。
【００３０】
記憶手段７は、トルクレンチ測定データが記憶されているトルクレンチ履歴ファイルで、トルクレンチの測定値に対する実測値、目視による外観状態等の検査情報が記憶されている。
【００３１】
図３、図４はこのように構成されたトルクレンチ管理装置において、表示装置に表示されるウィンドウの一態様とその流れを示す。
【００３２】
記憶手段５に記憶されているメインプログラムが起動されると、図３の▲１▼に示すメニュー画面が表示される。
【００３３】
このメニュー画面は、測定、検索、検査成績書、トルクレンチ登録の項目があり、各項目表示部をクリックすることにより、それぞれ矢印で示す画面に切換わる。
【００３４】
メニュー画面で測定を選択すると、トルクレンチ製造番号入力画面が表示され、キーボード等を用いて各トルクレンチのＩＤ番号である製造番号を入力する。この製造番号の入力処理が終了すると、トルクレンチ情報を元に、検査員、検査日、温度等の書誌的な事項を入力する画面に切換わり、これらの事項を入力する。
この書誌的事項の入力処理が終了すると、測定開始の指示画面が表示され、測定点（測定回数、測定値「設定トルク値」、精度）を入力し、この測定点の入力が終了すると、上記した測定に関する各項目の入力データが記憶手段６のトルクレンチマスターファイルに入力され、これから測定されるトルクレンチの各種情報が得られるのを待つ。
【００３５】
トルクレンチテスター２は図５から図７に示すように手動によりトルクレンチに外力を付与しているが、自動により外力を付与してもよく、実測値が入力手段４を介して記憶手段６のトルクレンチマスターファイルの各項目に対応して所定の回数分書き込まれる。そして、この記憶手段６に書き込まれたトルクレンチ情報は個々のトルクレンチの測定データの呼び出しを可能とするために、記憶手段７のトルクレンチ測定データ履歴ファイルに書き込まれる。
【００３６】
次に、メニュー画面で検索を選択すると、検索画面に切換わり、製造番号、あるいは検索キーワード等を入力することで所望のトルクレンチの測定結果（測定履歴）が表示される。
【００３７】
また、メニュー画面で検査成績書を選択すると、トルクレンチＩＤ表示画面に切換わり、例えばトルクレンチ製造番号を入力することにより、所望のトルクレンチの成績証明書が不図示のプリンタにより印字される。
【００３８】
一方、トルクレンチ登録を選択すると、▲２▼に示す登録メニュー画面に切換わり、「新規登録」、「既存の登録を変更」、「既存の登録を削除」の項目が表示される。
【００３９】
ここで「新規登録」を選択すると、製造番号登録確認画面に切換わり、製造番号が登録されていない場合にはトルクレンチ情報入力画面に切換わる。このトルクレンチ情報入力画面において、トルクレンチのＩＤ番号である製造番号の他に、型式、機器名称、単位等の情報を入力する。このトルクレンチの情報入力が終了すると、トルクレンチ情報確認画面が表示され、入力情報に間違いが無ければ確認を選択することによって登録完了通知のメッセージ「登録しました」が表示される。
【００４０】
次に、▲２▼の登録メニュー画面で「既存の登録を変更」を選択すると、製造番号登録画面に切換わり、製造番号の誤入力、製造番号の不存在の場合には、▲３▼のエラー通知メッセージ「製造番号が登録されていません」が表示され、元の▲２▼の登録メニュー画面に戻るか、あるいは製造番号の再入力を行なう。そして、入力された製造番号が正しいと登録訂正画面に切換わり、登録項目が表示され、精度の変更、トルクの変更といった登録内容の訂正を行なう。そして、登録訂正事項の入力が終了すると、トルクレンチ情報確認画面が表示され、入力情報に間違いが無ければ確認を選択することによって訂正完了通知のメッセージ「修正しました」が表示される。なお、登録を訂正した場合には、次からの測定は訂正された内容で行なわれるが、訂正前の記録内容は保存されている。
【００４１】
さらに、▲２▼の登録メニュー画面で「既存の登録を削除」を選択すると、、製造番号登録画面に切換わり、製造番号の誤入力、製造番号の不存在の場合には、▲３▼のエラー通知メッセージ「製造番号が登録されていません」が表示され、元の▲２▼の登録メニュー画面に戻るか、あるいは製造番号の再入力を行なう。そして、入力された製造番号が正しいと選択した製造番号の情報表示画面に切換わり、削除を選択すると、削除再確認メッセージ（削除してもよろしいですか？）が表示され、確認を選択すると、削除完了通知のメッセージ「削除しました」が表示される。
【００４２】
なお、▲２▼のメニュー画面に「トルクレンチの廃棄」項目を設けてもよく、この場合廃棄を選択されたトルクレンチの履歴データを完全に消去し、以後このトルクレンチの製造番号で照会があると「廃棄しました」とのメッセージを表示させる。
【００４３】
このように、本実施の形態によれば、既存のパーソナルコンピュータにフレキシブルディスク等の記録媒体により上記プログラムをダウンロードし、また例えばＲＳ−２３２Ｃの通信ケーブルを介してトルクレンチテスターに接続するという簡単な構成により、種々のトルクレンチの精度の合否判定及びそれに伴う検査成績書の発行、トルクレンチの履歴の照会等を迅速に行なえ、トルクレンチの管理が飛躍的に向上した。
【００４４】
【発明の効果】
以上説明したように、本発明によれば、コンピューターの画面上にトルクレンチテスターで計測した個々のトルクレンチの計測結果を表示させることができ、さらには種々のトルクレンチの精度の合否判定及びそれに伴う検査成績書の発行、トルクレンチの履歴の照会等を迅速に行なえ、トルクレンチの管理が飛躍的に向上した。
【図面の簡単な説明】
【図１】本発明の実施の形態を示すブロック図
【図２】図１のコンピューターの構成を示すブロック図
【図３】図１のコンピューターにより実行される動作の流れ及び画面の表示形態を示す図
【図４】図３の続きの動作の流れ及び画面の表示形態を示す図
【図５】トルクレンチテスターの上面図で、トルクレンチを装着した状態示す
【図６】図５の正面図
【図７】トルクレンチテスターの上面図で、トルクレンチを装着していない状態示す
【符号の説明】
１  コンピューター
２  トルクレンチテスター
３  制御手段
４  入力制御手段
５〜７  記憶手段
【図１】
2004251697.tif 000003
【図２】
2004251697.tif 000004
【図３】
2004251697.tif 000005
【図４】
2004251697.tif 000006
【図５】
2004251697.tif 000007
【図６】
2004251697.tif 000008
【図７】
2004251697.tif 000009